(57)【要約】【課題】任意の地域における気象状況を解説可能な気象状況解説装置、気象分布提示システム、気象状況解説方法および気象状況解説プログラムを提供する。【解決手段】特定の空間中の気象分布において所定の気象要素が予め定められた状態を有する気象状態領域を示すデータを気象状態領域データが気象関連データ取得部２により取得される。特定の空間中の基準位置が領域設定部４により取得され、取得された気象状態領域データのうち基準位置により定められる対象領域における気象状態領域データの特徴情報が特徴情報取得部６により取得される。気象状況を解説するために予め準備された複数の解説文から、特徴情報に基づいて基準位置における気象状況の解説文が解説文選択部７により選択される。【選択図】図１
2019060776.tif 000002
【特許請求の範囲】
【請求項１】
特定の空間中の気象分布において所定の気象要素が予め定められた状態を有する気象状態領域を示すデータを気象状態領域データとして取得する気象状態領域データ取得部と、
前記特定の空間中の基準位置を取得する基準位置取得部と、
取得された気象状態領域データのうち前記基準位置により定められる対象領域における気象状態領域データの特徴情報を取得する特徴情報取得部と、
気象状況を解説するために予め準備された複数の解説文から、特徴情報に基づいて前記基準位置に関連する気象状況の解説文を選択する解説文選択部とを備える、気象状況解説装置。
【請求項２】
前記気象状態領域データ取得部は、気象状態領域の輪郭を示す気象ポリゴンデータを気象状態領域データとして取得する、請求項１記載の気象状況解説装置。
【請求項３】
前記特徴情報取得部は、前記対象領域における気象状態領域の幾何学的特徴に基づいて特徴情報を取得する、請求項１または２記載の気象状況解説装置。
【請求項４】
前記特徴情報取得部は、前記対象領域における気象状態領域の幾何学的特徴の時間的変化に基づいて特徴情報を取得する、請求項１〜３のいずれか一項に記載の気象状況解説装置。
【請求項５】
前記特徴情報取得部は、第１の時点における気象状態領域の幾何学的特徴を第１の特徴情報として取得するとともに、前記第１の時点よりも前の第２の時点における気象状態領域の幾何学的特徴を第２の特徴情報とを取得し、
前記解説文選択部は、第１および第２の特徴情報に基づいて前記基準位置に関連する気象状況の変化の解説文を選択する、請求項４記載の気象状況解説装置。
【請求項６】
前記特徴情報取得部は、前記対象領域の面積と前記対象領域内における気象状態領域の面積との比を算出し、算出された比を特徴情報として取得する、請求項１〜５のいずれか一項に記載の気象状況解説装置。
【請求項７】
前記気象状態領域データ取得部は、気象要素の複数の状態にそれぞれ対応する複数の気象状態領域を示す複数の気象状態領域データを取得し、
前記特徴情報取得部は、前記対象領域における複数の気象状態領域データの特徴情報を取得する、請求項１〜６記載の気象状況解説装置。
【請求項８】
前記特徴情報取得部は、前記基準位置から気象状態領域までの距離および前記基準位置からの気象状態領域の方角を特徴情報として取得し、
前記解説文選択部は、前記基準位置から気象状態領域までの距離および前記基準位置からの気象状態領域の方角に関する情報を選択された解説文中に挿入する、請求項１〜５のいずれか一項に記載の気象状況解説装置。
【請求項９】
前記気象状態領域データ取得部は、気象要素の複数の状態にそれぞれ対応する複数の気象状態領域を示す複数の気象状態領域データを取得し、
前記特徴情報取得部は、各気象状態領域について、気象要素の状態の程度を示す評価係数を設定し、前記基準位置までの距離と評価係数との積を実効距離として算出し、最も小さい実効距離を有する気象状態領域を特定し、前記基準位置から特定された気象状態領域までの距離および前記基準位置からの特定された気象状態領域の方角を特徴情報として取得し、
前記解説文選択部は、基準位置から特定された気象状態領域までの距離および基準位置からの特定された気象状態領域の方角に関する情報を選択された解説文中に挿入する、請求項８記載の気象状況解説装置。
【請求項１０】
前記特定の空間において区画された地域の名称を示す地域データを取得する地域データ取得部をさらに備え、
前記解説文選択部は、地域データに基づいて地域の名称を選択された解説文中に挿入する、請求項８または９記載の気象状況解説装置。
【請求項１１】
前記基準位置取得部は、地図上において前記基準位置を受け付け、受け付けられた前記基準位置を含む所定の大きさおよび形状を有する領域を前記対象領域として設定する、請求項１〜１０のいずれか一項に記載の気象状況解説装置。
【請求項１２】
前記特定の空間において区画された地域の領域を示す地域データを取得する地域データ取得部をさらに備え、
前記基準位置取得部は、地域データに基づいて前記特定の空間における地域を前記基準位置として取得し、取得した地域を含む領域を前記対象領域として設定する、請求項１〜７のいずれか一項に記載の気象状況解説装置。
【請求項１３】
気象分布を示す気象データを取得し、取得された気象データに基づいて気象状態領域データを生成する気象状態領域データ生成部をさらに備え、
前記気象状態領域データ取得部は、前記気象状態領域データ生成部により生成された気象状態領域データを取得する、請求項１〜１２のいずれか一項に記載の気象状況解説装置。
【請求項１４】
気象状態領域データを記憶する気象状態領域データ記憶装置と、
気象状況を解説する複数の解説文をそれぞれ示す複数の解説文データを記憶する解説文データ記憶装置と、
請求項１〜１３のいずれか一項に記載の気象状況解説装置とを備え、
前記気象状況解説装置の前記気象状態領域データ取得部は、前記気象状態領域データ記憶装置から気象状態領域データを取得し、
前記気象状況解説装置の前記解説文選択部は、前記解説文データ記憶装置から前記対象領域における気象状況の解説文を示す解説文データを選択する、気象状況解説システム。
【請求項１５】
前記特定の空間中の位置を指定するために使用者により操作される操作部と、
前記気象状況解説装置の前記解説文選択部により選択された解説文を表示する表示部とをさらに備え、
前記気象状況解説装置の前記基準位置取得部は、前記操作部により指定された位置を前記基準位置として取得する、請求項１４記載の気象状況解説システム。
【請求項１６】
特定の空間中の気象分布において所定の気象要素が予め定められた状態を有する気象状態領域を示すデータを気象状態領域データとして取得するステップと、
前記特定の空間中の基準位置を取得するステップと、
取得された気象状態領域データのうち前記基準位置により定められる対象領域における気象状態領域データの特徴情報を取得するステップと、
気象状況を解説するために予め準備された複数の解説文から、特徴情報に基づいて前記基準位置に関連する気象状況の解説文を選択するステップとを含む、気象状況解説方法。
【請求項１７】
特定の空間中の気象分布において所定の気象要素が予め定められた状態を有する気象状態領域を示すデータを気象状態領域データとして取得する処理と、
前記特定の空間中の基準位置を取得する処理と、
取得された気象状態領域データのうち前記基準位置により定められる対象領域における気象状態領域データの特徴情報を取得する処理と、
気象状況を解説するために予め準備された複数の解説文から、特徴情報に基づいて前記基準位置に関連する気象状況の解説文を選択する処理とを、
処理装置に実行させる、気象状況解説プログラム。
【発明の詳細な説明】
【技術分野】
【０００１】
本発明は、気象状況を解説する気象状況解説装置、気象状況解説システム、気象状況解説方法および気象状況解説プログラムに関する。
【背景技術】
【０００２】
現在、テレビ放送またはインターネット等の情報配信メディアにより気象情報の配信が行われている。このような配信においては、概略的に区分けされた地域ごとの気象状況を解説する文章が、気象予報士または気象庁の予報官等の専門家により作成される。作成された気象状況を解説する文章が、対応する地域における気象分布とともに提供される（例えば非特許文献１）。
【先行技術文献】
【非特許文献】
【０００３】
【非特許文献１】日本気象協会、“ｔｅｎｋｉ．ｊｐ”、［online］、［平成２９年８月１５日検索］、インターネット〈URL:https://tenki.jp/〉
【発明の概要】
【発明が解決しようとする課題】
【０００４】
気象状況は、地域ごとに異なり、また、時間の経過とともに変化する。そのため、非特許文献１の配信においては、局所的な地域における現時点の気象状況まで適切に解説されているとは限らない。また、仮に、専門家が細かく区分けされた地域ごとに短い時間間隔で気象状況を解説する文章を作成しなければならないとすると、専門家の負担が大きくなる。
【０００５】
本発明の目的は、任意の地域における気象状況を解説可能な気象状況解説装置、気象状況解説システム、気象状況解説方法および気象状況解説プログラムを提供することである。
【課題を解決するための手段】
【０００６】
（１）第１の発明に係る気象状況解説装置は、特定の空間中の気象分布において所定の気象要素が予め定められた状態を有する気象状態領域を示すデータを気象状態領域データとして取得する気象状態領域データ取得部と、特定の空間中の基準位置を取得する基準位置取得部と、取得された気象状態領域データのうち基準位置により定められる対象領域における気象状態領域データの特徴情報を取得する特徴情報取得部と、気象状況を解説するために予め準備された複数の解説文から、特徴情報に基づいて基準位置に関連する気象状況の解説文を選択する解説文選択部とを備える。
【０００７】
この気象状況解説装置においては、特定の空間中の気象分布において所定の気象要素が予め定められた状態を有する気象状態領域を示す気象状態領域データが取得される。また、特定の空間中の基準位置が取得され、取得された気象状態領域データのうち基準位置により定められる対象領域における気象状態領域データの特徴情報が取得される。なお、特定の空間は、少なくとも特徴情報取得部により特徴情報が取得される対象領域内の空間が含まれていればよい。さらに、気象状況を解説するために予め準備された複数の解説文から、特徴情報に基づいて基準位置に関連する気象状況の解説文が選択される。
【０００８】
この構成によれば、基準位置に関連する気象状況に応じた解説文を都度作成することなく、基準位置に関連する気象状況の解説文が自動的に選択される。これにより、任意の地域における気象状況を解説することができる。
【０００９】
（２）気象状態領域データ取得部は、気象状態領域の輪郭を示す気象ポリゴンデータを気象状態領域データとして取得してもよい。この場合、気象分布において所定の気象要素が予め定められた状態を有する領域が気象ポリゴンデータにより単純化して表される。これにより、特徴情報を容易に取得することができる。
【００１０】
（３）特徴情報取得部は、対象領域における気象状態領域の幾何学的特徴に基づいて特徴情報を取得してもよい。この場合、対象領域における気象状態領域の幾何学的特徴が寄与する気象状況を解説することができる。
【００１１】
（４）特徴情報取得部は、対象領域における気象状態領域の幾何学的特徴の時間的変化に基づいて特徴情報を取得してもよい。この場合、気象状況の変化を解説することができる。
【００１２】
（５）特徴情報取得部は、第１の時点における気象状態領域の幾何学的特徴を第１の特徴情報として取得するとともに、第１の時点よりも前の第２の時点における気象状態領域の幾何学的特徴を第２の特徴情報とを取得し、解説文選択部は、第１および第２の特徴情報に基づいて基準位置に関連する気象状況の変化の解説文を選択してもよい。この場合、気象状況の変化を容易に解説することができる。
【００１３】
（６）特徴情報取得部は、対象領域の面積と対象領域内における気象状態領域の面積との比を算出し、算出された比を特徴情報として取得してもよい。この場合、対象領域の面積と対象領域内における気象状態領域の面積との比が寄与する気象状況を解説することができる。
【００１４】
（７）気象状態領域データ取得部は、気象要素の複数の状態にそれぞれ対応する複数の気象状態領域を示す複数の気象状態領域データを取得し、特徴情報取得部は、対象領域における複数の気象状態領域データの特徴情報を取得してもよい。この場合、気象要素の複数の状態が寄与する気象状況を解説することができる。
【００１５】
（８）特徴情報取得部は、基準位置から気象状態領域までの距離および基準位置からの気象状態領域の方角を特徴情報として取得し、解説文選択部は、基準位置から気象状態領域までの距離および基準位置からの気象状態領域の方角に関する情報を選択された解説文中に挿入してもよい。この場合、基準位置の周辺の気象状況を解説することができる。
【００１６】
（９）気象状態領域データ取得部は、気象要素の複数の状態にそれぞれ対応する複数の気象状態領域を示す複数の気象状態領域データを取得し、特徴情報取得部は、各気象状態領域について、気象要素の状態の程度を示す評価係数を設定し、基準位置までの距離と評価係数との積を実効距離として算出し、最も小さい実効距離を有する気象状態領域を特定し、基準位置から特定された気象状態領域までの距離および基準位置からの特定された気象状態領域の方角を特徴情報として取得し、解説文選択部は、基準位置から特定された気象状態領域までの距離および基準位置からの特定された気象状態領域の方角に関する情報を選択された解説文中に挿入してもよい。この構成によれば、基準位置の周辺の気象状況および気象要素の状態の程度を解説することができる。
【００１７】
（１０）気象状況解説装置は、特定の空間において区画された地域の名称を示す地域データを取得する地域データ取得部をさらに備え、解説文選択部は、地域データに基づいて地域の名称を選択された解説文中に挿入してもよい。この場合、具体的な地域の名称を用いて気象状況を解説することができる。
【００１８】
（１１）基準位置取得部は、地図上において基準位置を受け付け、受け付けられた基準位置を含む所定の大きさおよび形状を有する領域を対象領域として設定してもよい。この場合、任意の位置を含む対象領域を容易に設定することができる。
【００１９】
（１２）気象状況解説装置は、特定の空間において区画された地域の領域を示す地域データを取得する地域データ取得部をさらに備え、基準位置取得部は、地域データに基づいて特定の空間における地域を基準位置として取得し、取得した地域を含む領域を対象領域として設定してもよい。この場合、任意の地域を含む対象領域を容易に設定することができる。
【００２０】
（１３）気象状況解説装置は、気象分布を示す気象データを取得し、取得された気象データに基づいて気象状態領域データを生成する気象状態領域データ生成部をさらに備え、気象状態領域データ取得部は、気象状態領域データ生成部により生成された気象状態領域データを取得してもよい。この場合、気象状態領域データを取得することが容易になる。
【００２１】
（１４）第２の発明に係る気象状況解説システムは、気象状態領域データを記憶する気象状態領域データ記憶装置と、気象状況を解説する複数の解説文をそれぞれ示す複数の解説文データを記憶する解説文データ記憶装置と、第１の発明に係る気象状況解説装置とを備え、気象状況解説装置の気象状態領域データ取得部は、気象状態領域データ記憶装置から気象状態領域データを取得し、気象状況解説装置の解説文選択部は、解説文データ記憶装置から対象領域における気象状況の解説文を示す解説文データを選択する。
【００２２】
気象状況解説システムによれば、気象状態領域データ記憶装置から気象状態領域データが気象状況解説装置により取得され、気象状態領域データに基づいて特徴情報が取得される。解説文データ記憶装置に記憶された解説文データから取得された特徴情報に基づいて対象領域における気象状況の解説文を示す解説文データが選択される。
【００２３】
この構成によれば、基準位置に関連する気象状況に応じた解説文を都度作成することなく、基準位置に関連する気象状況の解説文が自動的に選択される。これにより、任意の地域における気象状況を解説することができる。
【００２４】
（１５）気象状況解説システムは、特定の空間中の位置を指定するために使用者により操作される操作部と、気象状況解説装置の解説文選択部により選択された解説文を表示する表示部とをさらに備え、気象状況解説装置の基準位置取得部は、操作部により指定された位置を基準位置として取得してもよい。
【００２５】
この場合、使用者は、対象領域を設定するための所望の位置を容易に指定することができる。また、表示部に表示される解説文を容易に視認することができる。
【００２６】
（１６）第３の発明に係る気象状況解説方法は、特定の空間中の気象分布において所定の気象要素が予め定められた状態を有する気象状態領域を示すデータを気象状態領域データとして取得するステップと、特定の空間中の基準位置を取得するステップと、取得された気象状態領域データのうち基準位置により定められる対象領域における気象状態領域データの特徴情報を取得するステップと、気象状況を解説するために予め準備された複数の解説文から、特徴情報に基づいて基準位置に関連する気象状況の解説文を選択するステップとを含む。
【００２７】
この気象状況解説方法によれば、基準位置に関連する気象状況に応じた解説文を都度作成することなく、基準位置に関連する気象状況の解説文が自動的に選択される。これにより、任意の地域における気象状況を解説することができる。なお、特定の空間は、少なくとも特徴情報が取得される対象領域内の空間が含まれていればよい。
【００２８】
（１７）第４の発明に係る気象状況解説プログラムは、特定の空間中の気象分布において所定の気象要素が予め定められた状態を有する気象状態領域を示すデータを気象状態領域データとして取得する処理と、特定の空間中の基準位置を取得する処理と、取得された気象状態領域データのうち基準位置により定められる対象領域における気象状態領域データの特徴情報を取得する処理と、気象状況を解説するために予め準備された複数の解説文から、特徴情報に基づいて基準位置に関連する気象状況の解説文を選択する処理とを、処理装置に実行させる。
【００２９】
この気象状況解説プログラムによれば、基準位置に関連する気象状況に応じた解説文を都度作成することなく、基準位置に関連する気象状況の解説文が自動的に選択される。これにより、任意の地域における気象状況を解説することができる。なお、特定の空間は、少なくとも特徴情報が取得される対象領域内の空間が含まれていればよい。
【発明の効果】
【００３０】
本発明によれば、任意の地域における気象状況を解説することができる。
【図面の簡単な説明】
【００３１】
【図１】本発明の実施の形態に係る気象状況解説システムの構成を示すブロック図である。
【図２】図１の気象サーバにより配信される気象データに基づく気象分布を示す図である。
【図３】生成された気象ポリゴンデータに基づく気象ポリゴンを示す図である。
【図４】生成された気象ポリゴンデータに基づく気象ポリゴンを示す図である。
【図５】生成された気象ポリゴンデータに基づく気象ポリゴンを示す図である。
【図６】気象関連データ記憶装置に記憶される気象関連データを示す模式図である。
【図７】解説文の選択の第１の例における気象ポリゴンを示す図である。
【図８】解説文の選択の第１の例における気象ポリゴンを示す図である。
【図９】解説文の選択の第１の例における気象ポリゴンを示す図である。
【図１０】解説文の選択の第４の例を説明するための図である。
【図１１】特徴情報を決定するための特徴情報決定処理の一例を示すフローチャートである。
【図１２】解説文データ記憶装置に記憶された解説文データに基づく解説文および解説番号を示す図である。
【図１３】特徴情報を決定するための特徴情報決定処理の他の例を示すフローチャートである。
【図１４】解説文の選択の第２の例において解説文データ記憶装置にさらに記憶された解説文データに基づく解説文および解説番号を示す図である。
【図１５】解説文の選択の第３の例において解説文データ記憶装置にさらに記憶された解説文データに基づく解説文および解説番号を示す図である。
【図１６】図１６は、解説文の選択の第４の例を説明するための図である。
【図１７】解説文の選択の第４の例において解説文データ記憶装置に記憶された解説文データに基づく解説文および解説番号を示す図である。
【図１８】解説文の選択の第５の例を説明するための図である。
【図１９】解説文の選択の第５の例において解説文データ記憶装置に記憶された解説文データに基づく解説文および解説番号を示す図である。
【図２０】解説文の選択の第６の例を説明するための図である。
【図２１】解説文の選択の第６の例において解説文データ記憶装置に記憶された解説文データに基づく解説文および解説番号を示す図である。
【図２２】解説文データ記憶装置にさらに記憶された解説文データに基づく解説文および解説番号を示す図である。
【図２３】解説文の選択の第７の例を説明するための図である。
【図２４】解説文の選択の第７の例において解説文データ記憶装置に記憶された解説文データに基づく解説文および解説番号を示す図である。
【図２５】解説文の選択の第８の例を説明するための図である。
【図２６】解説文の選択の第８の例において解説文データ記憶装置に記憶された解説文データに基づく解説文および解説番号を示す図である。
【図２７】解説文の選択の第９の例を説明するための図である。
【図２８】解説文の選択の第９の例において解説文データ記憶装置に記憶された解説文データに基づく解説文および解説番号を示す図である。
【図２９】気象関連データ生成プログラムにより行われる気象関連データ生成処理のアルゴリズムを示すフローチャートである。
【図３０】解説文表示プログラムにより行われる解説文表示処理のアルゴリズムを示すフローチャートである。
【図３１】第１の変形例に係る気象状況解説システムの構成を示すブロック図である。
【図３２】第２の変形例に係る気象状況解説システムの構成を示すブロック図である。
【発明を実施するための形態】
【００３２】
以下、本発明の実施の形態に係る気象状況解説装置、気象状況解説システム、気象状況解説方法および気象状況解説プログラムについて図面を参照しながら詳細に説明する。
【００３３】
（１）気象状況解説システムの構成
図１は、本発明の実施の形態に係る気象状況解説システムの構成を示すブロック図である。気象状況解説システム１００は、パーソナルコンピュータ等の情報処理装置により実現され、図示しないＣＰＵ（中央演算処理装置）、ＲＡＭ（ランダムアクセスメモリ）、ＲＯＭ（リードオンリメモリ）および記憶装置を含む。ＲＯＭまたは記憶装置には、システムプログラムおよび気象状況解説プログラムが記憶される。気象状況解説システム１００は、気象分布を示す気象データを配信する気象サーバと通信可能に構成される。
【００３４】
気象データは、雨、雪、雲、雷、風、波、気温または気圧等の気象が場所に対応付けられたデータであり、観測または予測により得られる。気象データは、降水量、降水強度分布、雲分布、降雪量、風向風速、気温、地上気温分布、高層気温分布、地上気圧分布、高層気圧分布、地上風分布、高層風分布（鉛直成分を含む）、雷活動度分布、竜巻発生確度分布、推計気象の天気分布、震度観測点の震度または津波観測点の津波高さ等の観測値もしくは予報値であってもよい。なお、地震または土砂災害に関するデータも場所に対応付けることが可能である。したがって、本実施の形態において、気象データは、地震または土砂災害に関するデータを含んでもよい。
【００３５】
気象状況解説システム１００は、気象状況解説装置１０、気象データ記憶装置２０、気象関連データ記憶装置３０、地域データ記憶装置４０、解説文データ記憶装置５０、操作部６０および表示部７０を含む。気象状況解説装置１０については後述する。気象データ記憶装置２０、気象関連データ記憶装置３０、地域データ記憶装置４０および解説文データ記憶装置５０は、共通の大容量の記憶装置により構成されてもよい。気象データ記憶装置２０は、気象サーバから配信される気象データを定期的に逐次取得し、記憶する。気象関連データ記憶装置３０は、気象状態領域データ記憶装置の例であり、後述する気象関連データを記憶する。
【００３６】
地域データ記憶装置４０には、複数の地域ポリゴンデータと、複数の地域ポリゴンデータにそれぞれ対応する種々の地域付属データとからなる地域データが予め記憶される。地域ポリゴンデータは、地図上において区画された市町村等の各領域の輪郭（以下、地域ポリゴンと呼ぶ。）を示すデータであり、地図上における複数の緯度と経度との組み合わせにより表される。地域付属データは、地域ポリゴンに対応する地域名（例えば市町村名）、地域ポリゴンデータに固有の識別子、地域ポリゴンの重心および地域ポリゴンの面積を含む。解説文データ記憶装置５０には、気象状況を解説するための解説文を示す複数の解説文データが予め記憶される。
【００３７】
操作部６０は、気象状況解説装置１０に指示を与えるために使用者により操作される。表示部７０は、地図および気象分布を示す画像を表示するとともに、気象状況の解説文を表示する。操作部６０および表示部７０は、タッチパネルディスプレイにより構成されてもよい。
【００３８】
気象状況解説装置１０は、気象関連データ生成部１、気象関連データ取得部２、地域データ取得部３、領域設定部４、時刻受付部５、特徴情報取得部６、解説文選択部７および出力部８を含む。気象状況解説システム１００のＣＰＵがＲＯＭまたは記憶装置に記憶された気象状況解説プログラムを実行することにより、気象状況解説装置１０の構成要素（１〜８）の機能が実現される。気象状況解説装置１０の構成要素（１〜８）の一部または全てが電子回路等のハードウエアにより構成されてもよい。
【００３９】
気象関連データ生成部１は、気象状態領域データ生成部の例であり、気象データ記憶装置２０から気象データを定期的に逐次取得する。また、気象関連データ生成部１は、取得された気象データに基づいて気象ポリゴンデータを定期的に逐次生成する。気象ポリゴンデータは、地図上の気象分布において所定の気象要素が予め定められた状態を有する領域の輪郭（以下、気象ポリゴンと呼ぶ。）を示すデータであり、地図上における複数の緯度と経度との組み合わせにより表される。気象関連データ生成部１は、地図上の全範囲ではなく、地図上の予め定められた範囲内における気象ポリゴンデータを生成してもよい。
【００４０】
また、気象関連データ生成部１は、逐次生成される気象ポリゴンデータと、気象ポリゴンデータに対応する種々の気象付属データとを気象関連データとして気象関連データ記憶装置３０に記憶させる。気象付属データは、気象データの観測時刻、気象ポリゴンデータに固有の識別子、気象ポリゴンの重心および気象ポリゴンの面積等を含む。気象関連データ取得部２は、気象状態領域データ取得部の例であり、気象関連データ記憶装置３０から気象関連データを取得する。地域データ取得部３は、地域データ記憶装置４０から地域データを取得する。
【００４１】
領域設定部４は、基準位置取得部の例であり、使用者による操作部６０の操作に基づいて地図上の所定の領域を対象領域として設定する。例えば、使用者は、表示部７０に表示された地図上において、操作部６０を操作することにより、所望の地点を基準点として指定することができる。この場合、領域設定部４は、基準点を中心に配置された所定の寸法を有する図形（例えば円形または矩形）を対象領域として設定する。また、使用者は、表示部７０に表示された地図上において、操作部６０を操作することにより、所望の地域を指定することができる。この場合、領域設定部４は、指定された地域を包含する領域を対象領域として設定する。
【００４２】
時刻受付部５は、使用者による操作部６０の操作に基づいて、気象関連データにおける気象データの観測時刻または予報時刻の指定を受け付ける。使用者は、操作部６０を操作することにより、最新の気象データの観測時刻または予報時刻を指定することができる。なお、観測時刻は具体的な時刻ではなく、現時刻として指定されてもよい。同様に、予報時刻は具体的な時刻ではなく、現時刻からの経過時間（例えば、１０分後または２０分後）として指定されてもよい。
【００４３】
特徴情報取得部６は、気象関連データ取得部２により取得された気象関連データ、地域データ取得部３により取得された地域データ、領域設定部４により設定された対象領域および時刻受付部５により受け付けられた時刻に基づいて、気象ポリゴンと対象領域との幾何学的関係により定まる特徴情報を抽出する。特徴情報の詳細については後述する。
【００４４】
解説文選択部７は、地域データ取得部３により取得された地域データおよび特徴情報取得部６により抽出された特徴情報に基づいて、対象領域の気象状況の解説文を示す解説文データを解説文データ記憶装置５０に予め記憶された複数の解説文データから選択する。
【００４５】
出力部８は、解説文選択部７により選択された解説文データを表示部７０に出力する。これにより、解説文データに基づく解説文が表示部７０に表示される。また、出力部８は、地域データ取得部３により取得された地域データを表示部７０に出力する。これにより、使用者に所望の地点または地域を指定させるための地図が表示部７０に表示される。
【００４６】
以下の例では、気象要素の状態として雨量を示す気象庁レーダデータを用いて気象ポリゴンデータを生成する方法を説明する。図２は、図１の気象データ記憶装置２０に記憶された気象データに基づく気象分布を示す図である。図１の気象関連データ生成部１は、複数の雨量をしきい値として用いることにより図２の気象データを二値化する。その後、気象関連データ生成部１は、気象データが示す気象分布の輪郭を抽出し、抽出された輪郭を単純化することにより気象ポリゴンデータを生成する。
【００４７】
図３、図４および図５は、生成された気象ポリゴンデータに基づく気象ポリゴンを示す図である。図３〜図５は、雨量がそれぞれ１ｍｍ／ｈ、３０ｍｍ／ｈおよび８０ｍｍ／ｈであるときの気象ポリゴンデータに対応する。以下の説明では、単位ｍｍ／ｈを単にミリと略記する。図３〜図５に示すように、複数の気象ポリゴンＷＰをそれぞれ示す複数の気象ポリゴンデータが雨量ごとに生成される。
【００４８】
なお、図３〜図５の気象ポリゴンデータは、００時００分に観測された気象データに基づいて生成される。また、予測された気象データが配信される場合には、当該気象データに基づいて気象ポリゴンデータが予報時刻ごとに生成される。なお、予測された気象データは、例えば「気象庁降水ナウキャスト」により配信される。
【００４９】
気象関連データ生成部１は、生成された複数の気象ポリゴンデータに固有の識別子を付与するとともに、各気象ポリゴンの重心および面積を算出する。また、気象関連データ生成部１は、複数の気象ポリゴンデータに対応する気象データの観測時刻を取得する。予測された気象データが配信される場合には、気象関連データ生成部１は、気象データの予報時刻をさらに取得する。気象関連データ生成部１は、複数の気象ポリゴンデータと、複数の気象ポリゴンデータにそれぞれ対応する気象付属データとを気象関連データとして図１の気象関連データ記憶装置３０に記憶させる。
【００５０】
図６は、気象関連データ記憶装置３０に記憶される気象関連データの例を示す模式図である。気象関連データは、各気象ポリゴンデータＣＰおよびそれに対応する気象付属データＣＡにより構成される。図６の例では、気象付属データＣＡは、気象データの観測時刻、気象ポリゴンデータの識別子、雨量（しきい値）、気象ポリゴンの重心および気象ポリゴンの面積を含む。予測された気象データが配信される場合には、気象付属データＣＡは、気象データの予報時刻を含んでもよい。また、気象付属データＣＡは、雨量に代えて、雲量、地上気温、高層気温、風速、雷活動度、竜巻発生確度または降雪量等を含んでもよい。
【００５１】
気象関連データ記憶装置３０に記憶される気象関連データは、気象データが更新されることにより逐次更新される。一方で、過去に気象関連データ記憶装置３０に記憶された気象関連データは、長期間にわたって維持される。
【００５２】
（２）解説文の選択の第１の例
図７、図８および図９は、解説文の選択の第１の例における気象ポリゴンを示す図である。図７〜図９は、関東地方周辺における雨量１０ミリ、２０ミリおよび３０ミリの気象ポリゴンをそれぞれ示す。なお、図７〜図９には、関東地方周辺の日本地図が便宜的に表示されている。
【００５３】
ここで、地図上の地域を区画する線と気象ポリゴンの輪郭線との区別を容易にするために、図７〜図９においては、気象ポリゴンの輪郭線が示されず、気象ポリゴンの内部の領域がそれぞれ異なるドットパターンにより示される。また、雨量１０ミリ、２０ミリおよび３０ミリの気象ポリゴンの重心が黒丸、白丸およびハッチングパターン付きの丸によりそれぞれ示される。
【００５４】
図１０は、解説文の選択の第１の例を説明するための図である。図１０の例においては、地図上の予め定められた範囲として、関東地方周辺の地図が示される。図１０の地図は、図１の表示部７０に表示される。また、図１０には、図７〜図９の気象ポリゴンが便宜的に表示されているが、実際には表示部７０に表示されない。
【００５５】
使用者は、図１の操作部６０を操作することにより、表示部７０の地図上における所望の地点を基準点Ｒ０として指定する。使用者は、所望の緯度および経度の組み合わせにより基準点Ｒ０を指定してもよい。図１の領域設定部４は、指定された基準点Ｒ０を中心とする直径Ｂ（ｋｍ）の円形を対象領域Ｒ１として設定する。Ｂは例えば５０である。対象領域Ｒ１は、矩形または他の形状を有してもよい。
【００５６】
なお、図１０の例では、対象領域Ｒ１内の気象関連データ（気象ポリゴンデータ）のみでなく、対象領域Ｒ１外の気象関連データも取得されるが、本発明はこれに限定されない。対象領域Ｒ１外の気象関連データは取得されず、対象領域Ｒ１内の気象関連データのみが取得されてもよい。すなわち、気象関連データが取得される特定の空間は、少なくとも対象領域Ｒ１内の空間が含まれていればよい。
【００５７】
使用者は、操作部６０を操作することにより図１の時刻受付部５に最新の気象データの観測時刻を指定する。予測された気象データが配信される場合には、使用者は予報時刻を指定することも可能である。予測された気象データが配信されず、気象関連データが予報時刻を含まない場合には、最新の気象データの観測時刻が自動的に指定されてもよい。後述する解説文の選択の他の例においても同様である。本例では、図７〜図９の気象ポリゴンデータ（気象関連データ）に対応する気象データの観測時刻が指定される。
【００５８】
図１の特徴情報取得部６は、気象関連データ、対象領域Ｒ１および気象データの観測時刻に基づいて、以下の特徴情報Ｆ１〜Ｆ４を取得する。図１１は、特徴情報Ｆ１を決定するための特徴情報決定処理を示すフローチャートである。まず、特徴情報取得部６は、基準点Ｒ０が雨量３０ミリの気象ポリゴンの範囲内にあるか否かを判定する（ステップＳ１）。基準点Ｒ０が雨量３０ミリの気象ポリゴンの範囲にある場合、特徴情報取得部６は、特徴情報Ｆ１を３０に決定し（ステップＳ２）、特徴情報決定処理を終了する。
【００５９】
基準点Ｒ０が雨量３０ミリの気象ポリゴンの範囲内にない場合、特徴情報取得部６は、基準点Ｒ０が雨量２０ミリの気象ポリゴンの範囲内にあるか否かを判定する（ステップＳ３）。基準点Ｒ０が雨量２０ミリの気象ポリゴンの範囲にある場合、特徴情報取得部６は、特徴情報Ｆ１を２０に決定し（ステップＳ４）、特徴情報決定処理を終了する。
【００６０】
基準点Ｒ０が雨量２０ミリの気象ポリゴンの範囲内にない場合、特徴情報取得部６は、基準点Ｒ０が雨量１０ミリの気象ポリゴンの範囲内にあるか否かを判定する（ステップＳ５）。基準点Ｒ０が雨量１０ミリの気象ポリゴンの範囲にある場合、特徴情報取得部６は、特徴情報Ｆ１を１０に決定し（ステップＳ６）、特徴情報決定処理を終了する。
【００６１】
基準点Ｒ０が雨量１０ミリの気象ポリゴンの範囲内にない場合、特徴情報取得部６は、特徴情報Ｆ１を０に決定し（ステップＳ７）、特徴情報決定処理を終了する。なお、図１０の例では、基準点Ｒ０が雨量３０ミリ、２０ミリおよび１０ミリのいずれの気象ポリゴンの範囲内にもないので、特徴情報Ｆ１は０に決定される。
【００６２】
特徴情報取得部６は、対象領域Ｒ１の面積Ａ１に対する対象領域Ｒ１内の雨量１０ミリの気象ポリゴンの総面積Ａ２の比を特徴情報Ｆ２として算出する。また、特徴情報取得部６は、対象領域Ｒ１の面積Ａ１に対する対象領域Ｒ１内の雨量２０ミリの気象ポリゴンの総面積Ａ３の比を特徴情報Ｆ３として算出する。さらに、特徴情報取得部６は、対象領域Ｒ１の面積Ａ１に対する対象領域Ｒ１内の雨量３０ミリの気象ポリゴンの総面積Ａ４の比を特徴情報Ｆ４として算出する。すなわち、特徴情報Ｆ２はＡ２／Ａ１により算出され、特徴情報Ｆ３はＡ３／Ａ１により算出され、特徴情報Ｆ４はＡ４／Ａ１により算出される。
【００６３】
種々の気象状況の解説文を示す解説文データが気象予報士等の専門家により作成され、図１の解説文データ記憶装置５０に予め記憶される。また、解説文データには固有の解説番号が付与される。図１２は、解説文データ記憶装置５０に記憶された解説文データに基づく解説文および解説番号を示す図である。
【００６４】
また、解説文データ記憶装置５０には、過去の一定期間（例えば１年間）における特徴情報Ｆ１〜Ｆ４の値の複数の組み合わせが記憶される。さらに、特徴情報Ｆ１〜Ｆ４の値の組み合わせに対応する気象状況を解説するための解説文データの解説番号が専門家により指定され、指定された解説番号と特徴情報Ｆ１〜Ｆ４の値の組み合わせとの対応関係が解説文データ記憶装置５０に蓄積される。
【００６５】
なお、所望の気象状況を解説するための解説文データが解説文データ記憶装置５０に記憶されていない場合には、専門家は、当該気象状況を解説するための解説文データを作成し、解説文データ記憶装置５０に追加的に記憶させることができる。また、解説文データ記憶装置５０に追加的に記憶された解説文データにも固有の解説番号が付与される。
【００６６】
図１の解説文選択部７は、解説文データ記憶装置５０に蓄積された対応関係に基づいて機械学習を行うことにより、特徴情報Ｆ１〜Ｆ４を「説明変数」としたときに適切な解説番号を「目的変数」として選択する「学習済みモデル」を予め作成する。「学習済みモデル」は、例えばＣＡＲＴ（Classification and Regression Tree）法アルゴリズムによる「決定木（Decision Tree）」である。
【００６７】
解説文選択部７は、作成された「学習済みモデル」および特徴情報取得部６により取得された特徴情報Ｆ１〜Ｆ４の値に基づいて、対象領域Ｒ１の気象状況の解説文を示す解説文データの解説番号を解説文データ記憶装置５０に記憶された解説番号から選択する。図１の出力部８は、解説文選択部７により選択された解説番号に対応する解説文データを表示部７０に出力する。これにより、対象領域Ｒ１の気象状況の解説文が表示部７０に表示される。
【００６８】
単純な例として、特徴情報Ｆ１が０であり、特徴情報Ｆ２〜Ｆ４が極めて小さい場合には、図１２の解説番号「００１」が選択され、「あなたの場所の周辺には目立った雨雲はありません。」という解説文が表示される。特徴情報Ｆ１が１０であり、特徴情報Ｆ２が特徴情報Ｆ３，Ｆ４に比べて支配的に大きい場合には、解説番号「００２」が選択され、「あなたの場所の周辺には弱い雨を降らせる雨雲があります。」という解説文が表示される。
【００６９】
特徴情報Ｆ１が２０であり、特徴情報Ｆ３が特徴情報Ｆ２，Ｆ４に比べて支配的に大きい場合には、解説番号「００３」が選択され、「あなたの場所の周辺には強い雨を降らせる雨雲があります。」という解説文が表示される。特徴情報Ｆ１が３０であり、特徴情報Ｆ４が特徴情報Ｆ２，Ｆ３に比べて支配的に大きい場合には、解説番号「００４」が選択され、「あなたの場所の周辺には激しい雨を降らせる雨雲があります。」という解説文が表示される。
【００７０】
（３）解説文の選択の第２の例
解説文の選択の第１の例においては、雨量１０ミリ、２０ミリおよび３０ミリの気象ポリゴンに基づいて解説文データが選択されるが、本発明はこれに限定されない。さらに他の雨量の気象ポリゴンに基づいて解説文データが選択されてもよい。以下、解説文の選択の第２の例について、解説文の選択の第１の例と異なる点を説明する。
【００７１】
図１３は、特徴情報Ｆ１を決定するための特徴情報決定処理の他の例を示すフローチャートである。まず、特徴情報取得部６は、基準点Ｒ０が雨量８０ミリの気象ポリゴンの範囲内にあるか否かを判定する（ステップＳ１１）。基準点Ｒ０が雨量８０ミリの気象ポリゴンの範囲にある場合、特徴情報取得部６は、特徴情報Ｆ１を８０に決定し（ステップＳ１２）、特徴情報決定処理を終了する。
【００７２】
基準点Ｒ０が雨量８０ミリの気象ポリゴンの範囲内にない場合、特徴情報取得部６は、基準点Ｒ０が雨量５０ミリの気象ポリゴンの範囲内にあるか否かを判定する（ステップＳ１３）。基準点Ｒ０が雨量５０ミリの気象ポリゴンの範囲にある場合、特徴情報取得部６は、特徴情報Ｆ１を５０に決定し（ステップＳ１４）、特徴情報決定処理を終了する。基準点Ｒ０が雨量５０ミリの気象ポリゴンの範囲内にない場合、特徴情報取得部６は図１１のステップＳ１へ進む。
【００７３】
本例においては、図１の特徴情報取得部６は、特徴情報Ｆ１〜Ｆ４に加えて、以下の特徴情報Ｆ５，Ｆ６をさらに取得する。特徴情報取得部６は、対象領域Ｒ１の面積Ａ１に対する対象領域Ｒ１内の雨量５０ミリの気象ポリゴンの総面積Ａ５の比を特徴情報Ｆ５として算出する。また、特徴情報取得部６は、対象領域Ｒ１の面積Ａ１に対する対象領域Ｒ１内の雨量８０ミリの気象ポリゴンの総面積Ａ６の比を特徴情報Ｆ６として算出する。すなわち、特徴情報Ｆ５はＡ５／Ａ１により算出され、特徴情報Ｆ６はＡ６／Ａ１により算出される。
【００７４】
図１４は、解説文の選択の第２の例において解説文データ記憶装置５０にさらに記憶された解説文データに基づく解説文および解説番号を示す図である。また、解説文データ記憶装置５０には、過去の一定期間における特徴情報Ｆ１〜Ｆ６の値の複数の組み合わせが記憶される。さらに、特徴情報Ｆ１〜Ｆ６の値の組み合わせに対応する気象状況を解説するための解説文データの解説番号が専門家により指定され、指定された解説番号と特徴情報Ｆ１〜Ｆ６の値の組み合わせとの対応関係が解説文データ記憶装置５０に蓄積される。
【００７５】
図１の解説文選択部７は、解説文データ記憶装置５０に蓄積された対応関係に基づいて機械学習を行うことにより、特徴情報Ｆ１〜Ｆ６を「説明変数」としたときに適切な解説番号を「目的変数」として選択する「学習済みモデル」を予め作成する。また、解説文選択部７は、作成された「学習済みモデル」および特徴情報取得部６により取得された特徴情報Ｆ１〜Ｆ６の値に基づいて、対象領域Ｒ１の気象状況の解説文を示す解説文データの解説番号を解説文データ記憶装置５０に記憶された解説番号から選択する。
【００７６】
単純な例として、特徴情報Ｆ１が５０であり、特徴情報Ｆ５が特徴情報Ｆ２〜Ｆ４，Ｆ６に比べて支配的に大きい場合には、図１４の解説番号「００５」が選択され、「あなたの場所の周辺には非常に激しい雨を降らせる雨雲があります。」という解説文が表示される。特徴情報Ｆ１が８０であり、特徴情報Ｆ６が特徴情報Ｆ２〜Ｆ５に比べて支配的に大きい場合には、解説番号「００６」が選択され、「あなたの場所の周辺には猛烈な雨を降らせる雨雲があります。」という解説文が表示される。
【００７７】
（４）解説文の選択の第３の例
解説文の選択の第１および第２の例においては、過去の気象データが用いられずに解説文データが選択されるが、本発明はこれに限定されない。最新の気象データに加えて、過去の気象データを用いて解説文データが選択されてもよい。以下、解説文の選択の第３の例について、解説文の選択の第１の例と異なる点を説明する。
【００７８】
図１の特徴情報取得部６は、特徴情報Ｆ１〜Ｆ４に加えて、以下の特徴情報Ｆ１ｂ〜Ｆ４ｂをさらに取得する。ここで、特徴情報Ｆ１ｂ〜Ｆ４ｂは、最新の気象データに対応する気象ポリゴンデータではなく、所定時間前（例えば、１０分前または２０分前）の気象データに対応する気象ポリゴンデータ基づいて取得される特徴情報Ｆ１〜Ｆ４にそれぞれ相当する。
【００７９】
図１５は、解説文の選択の第３の例において解説文データ記憶装置５０にさらに記憶された解説文データに基づく解説文および解説番号を示す図である。図１５に示すように、本例における解説文は、現在の気象状況だけでなく、今後における気象状況の変化も解説する。また、解説文データ記憶装置５０には、過去の一定期間における特徴情報Ｆ１〜Ｆ４，Ｆ１ｂ〜Ｆ４ｂの値の複数の組み合わせが記憶される。さらに、特徴情報Ｆ１〜Ｆ４，Ｆ１ｂ〜Ｆ４ｂの値の組み合わせに対応する気象状況を解説するための解説文データの解説番号が専門家により指定され、指定された解説番号と特徴情報Ｆ１〜Ｆ４，Ｆ１ｂ〜Ｆ４ｂの値の組み合わせとの対応関係が解説文データ記憶装置５０に蓄積される。
【００８０】
図１の解説文選択部７は、解説文データ記憶装置５０に蓄積された対応関係に基づいて機械学習を行うことにより、特徴情報Ｆ１〜Ｆ４，Ｆ１ｂ〜Ｆ４ｂを「説明変数」としたときに適切な解説番号を「目的変数」として選択する「学習済みモデル」を予め作成する。また、解説文選択部７は、作成された「学習済みモデル」および特徴情報取得部６により取得された特徴情報Ｆ１〜Ｆ４，Ｆ１ｂ〜Ｆ４ｂの値に基づいて、対象領域Ｒ１の気象状況の解説文を示す解説文データの解説番号を解説文データ記憶装置５０に記憶された解説番号から選択する。本例によれば、現在の気象状況だけでなく、今後における気象状況の変化を解説する解説文を表示部７０に表示させることができる。
【００８１】
上記の解説文の選択の第１〜第３の例においては、機械学習により作成された「学習済みモデル」および特徴情報に基づいて解説番号が選択されるが、本発明はこれに限定されない。後述する解説文の選択の第４〜第６の例と同様に、特徴情報と解説番号とが予め対応付けられ、予め対応付けられた関係および特徴情報に基づいて解説番号が選択されてもよい。
【００８２】
（５）解説文の選択の第４の例
図１６は、解説文の選択の第４の例を説明するための図である。図１６の例においては、地図上の予め定められた範囲として、近畿地方北部の地図が示される。図１６の地図は、図１の表示部７０に表示される。図１６には、雨量１ミリ、３０ミリおよび８０ミリの気象ポリゴンが便宜的に表示されているが、実際には表示部７０に表示されない。図７〜図９と同様に、地図上の地域を区画する線と気象ポリゴンの輪郭線との区別を容易にするために、図１６においては、気象ポリゴンの輪郭線が示されず、気象ポリゴンの内部の領域がそれぞれ異なるドットパターンにより示される。後述する図１８および図２０においても同様である。
【００８３】
使用者は、図１の操作部６０を操作することにより、表示部７０の地図上における所望の地点を基準点Ｒ０として指定する。図１の領域設定部４は、指定された基準点Ｒ０を中心とする矩形を対象領域Ｒ１として設定する。本例では、東西方向にＢｘ（ｋｍ）でかつ南北方向にＢｙ（ｋｍ）の矩形が対象領域Ｒ１として設定される。ＢｘおよびＢｙの各々は、例えば５０である。対象領域Ｒ１は、円形または他の形状を有してもよい。
【００８４】
使用者は、操作部６０を操作することにより図１の時刻受付部５に最新の気象データの観測時刻を指定する。解説文の選択の第１の例と同様に、気象関連データが予報時刻を含まない場合には、最新の気象データの観測時刻が自動的に指定されてもよい。本例では、図１６の気象関連データに対応する気象データの観測時刻が指定される。
【００８５】
図１の特徴情報取得部６は、対象領域Ｒ１内に含まれる雨量１ミリの気象ポリゴンのうち、基準点Ｒ０からの距離が最も小さい気象ポリゴンを検索する。ここで、対象領域Ｒ１内に含まれる気象ポリゴンとは、対象領域Ｒ１内に一部でも含まれる気象ポリゴンを意味する。また、基準点Ｒ０から気象ポリゴンまでの距離は、基準点Ｒ０から気象ポリゴンの重心までの距離ではなく、基準点Ｒ０から気象ポリゴンにおける基準点Ｒ０に最も近い輪郭部分までの距離を意味する。
【００８６】
該当する雨量１ミリの気象ポリゴンが存在する場合、特徴情報取得部６は、当該気象ポリゴンに対応する識別子ＩＤ、基準点Ｒ０から当該気象ポリゴンまでの距離ＤＩＳＴおよび基準点Ｒ０から当該気象ポリゴンまでの方角ＤＩＲを特徴情報として取得する。ここで、距離ＤＩＳＴは例えばｋｍの単位で表される。また、方角ＤＩＲは、例えば北、北東、東、南東、南、南西、西および北西の８方角のいずれかから選択される。
【００８７】
同様に、特徴情報取得部６は、対象領域Ｒ１内に含まれる雨量３０ミリの気象ポリゴンのうち、基準点Ｒ０からの距離が最も小さい気象ポリゴンを検索する。該当する雨量３０ミリの気象ポリゴンが存在する場合、特徴情報取得部６は、当該気象ポリゴンに対応する識別子ＩＤ、基準点Ｒ０から当該気象ポリゴンまでの距離ＤＩＳＴおよび基準点Ｒ０から当該気象ポリゴンまでの方角ＤＩＲを特徴情報として取得する。
【００８８】
また、特徴情報取得部６は、対象領域Ｒ１内に含まれる雨量８０ミリの気象ポリゴンのうち、基準点Ｒ０からの距離が最も小さい気象ポリゴンを検索する。該当する雨量８０ミリの気象ポリゴンが存在する場合、特徴情報取得部６は、当該気象ポリゴンに対応する識別子ＩＤ、基準点Ｒ０から当該気象ポリゴンまでの距離ＤＩＳＴおよび基準点Ｒ０から当該気象ポリゴンまでの方角ＤＩＲを特徴情報として取得する。
【００８９】
さらに、特徴情報取得部６は、各雨量の気象ポリゴンについての距離ＤＩＳＴに、雨量に応じた評価係数を乗じた値を当該雨量の気象ポリゴンの実効距離としてさらに取得する。評価係数は、雨量が大きいほど小さくなるように設定される。例えば、雨量がＰＲ（ミリ）である場合、評価係数は１／√ＰＲであってもよい。この場合、雨量１ミリ、３０ミリおよび８０ミリに対応する評価係数はそれぞれ１、約０．１８２および約０．１１２である。
【００９０】
本例においては、実効距離は、雨量の違いが考慮された基準点Ｒ０から気象ポリゴンまでの距離に相当する。基準点Ｒ０からの気象ポリゴンまでの距離ＤＩＳＴが等しい場合、雨量が大きいほど実効距離が小さくなる。したがって、使用者は、実効距離が小さい気象ポリゴンをより警戒する必要がある。そこで、特徴情報取得部６は、取得された実効距離のうち、最も小さい実効距離を有する気象ポリゴンデータの識別子ＩＤを特定する。上記の気象ポリゴンの探索において、いずれの気象ポリゴンも存在しない場合には、気象ポリゴンデータの識別子ＩＤが特定されない。
【００９１】
図１の解説文選択部７は、地域データ取得部３により取得された地域データに基づいて、特徴情報取得部６により特定された識別子ＩＤが特定された気象ポリゴンデータに対応する重心を内包する地域ポリゴンを検索する。該当する地域ポリゴンが存在する場合、解説文選択部７は、当該地域ポリゴンに対応する地域名に符号「ＰＯＳ」を付与する。なお、一方、該当する地域ポリゴンが存在しない場合、解説文選択部７は、識別子ＩＤが特定された気象ポリゴンデータに対応する方角ＤＩＲおよび距離ＤＩＳＴを取得し、「ＤＩＲの方角でかつ距離ＤＩＳＴｋｍの地点」という文言に符号「ＰＯＳ」を付与する。
【００９２】
図１７は、解説文の選択の第４の例において解説文データ記憶装置５０に記憶された解説文データに基づく解説文および解説番号を示す図である。識別子ＩＤが特定された場合、解説文選択部７は、当該識別子ＩＤに対応する雨量に基づいて、対象領域Ｒ１の気象状況の解説文を示す解説文データの解説番号を図１７の解説文データ記憶装置５０に記憶された解説番号「０２１」〜「０２３」から選択する。一方、識別子ＩＤが特定されていない場合、対象領域Ｒ１の気象状況の解説文を示す解説文データの解説番号として解説文データ記憶装置５０に記憶された解説番号「０２４」を選択する。
【００９３】
図１の出力部８は、解説文選択部７により選択された解説番号に対応する解説文データおよび符号「ＰＯＳ」を表示部７０に出力する。なお、識別子ＩＤが特定されていない場合には、出力部８は、符号「ＰＯＳ」を図１の表示部７０に出力しない。これにより、対象領域Ｒ１の気象状況の解説文が表示部７０に表示される。
【００９４】
例えば、雨量８０ミリの気象ポリゴンデータの識別子ＩＤが特定された場合には、図１７の解説番号「０２１」が選択され、「現在、京都市に激しい雨が降っています。」という解説文が表示される。雨量３０ミリの気象ポリゴンデータの識別子ＩＤが特定された場合には、解説番号「０２２」が選択され、「現在、東の方角でかつ距離１０ｋｍの地点に強い雨が降っています。」という解説文が表示される。
【００９５】
雨量１ミリの気象ポリゴンデータの識別子ＩＤが特定された場合には、解説番号「０２３」が選択される。この場合、「現在、北の方角でかつ距離１ｋｍの地点に雨が降っています。」という解説文が表示される。識別子ＩＤが特定されない場合には、解説番号「０２４」が選択され、「現在、周辺に目立った雨雲はありません。」という解説文が表示される。このように、本例においては、具体的な地域名を解説文に挿入することができる。
【００９６】
（６）解説文の選択の第５の例
解説文の選択の第１〜第４の例においては、基準点Ｒ０が指定されることにより対象領域Ｒ１が設定されるが、本発明はこれに限定されない。いずれかの地域が指定されることにより対象領域Ｒ１が指定されてもよい。以下、解説文の選択の第５の例について、解説文の選択の第４の例と異なる点を説明する。図１８は、解説文の選択の第５の例を説明するための図である。
【００９７】
使用者は、図１の操作部６０を操作することにより、図１８の表示部７０の地図上における所望の地域を指定する。図１の領域設定部４は、指定された地域に対応する地域ポリゴンを予め定められた距離Ｂ（ｋｍ）だけ外方に広げた領域を対象領域Ｒ１として設定する。図１８の例では、使用者は京都市を指定する。これにより、京都市を取り囲む対象領域Ｒ１が設定される。なお、距離Ｂは０であってもよい。この場合、指定された地域に対応する地域ポリゴンが対象領域Ｒ１として設定される。
【００９８】
図１の特徴情報取得部６は、気象関連データ、対象領域Ｒ１および気象データの観測時刻に基づいて、以下の特徴情報Ｆ１１，Ｆ１２，Ｆ１３を取得する。具体的には、特徴情報取得部６は、対象領域Ｒ１の面積Ａ１に対する対象領域Ｒ１内の雨量１ミリの気象ポリゴンの総面積Ａ１１の比を特徴情報Ｆ１１として算出する。また、特徴情報取得部６は、対象領域Ｒ１の面積Ａ１に対する対象領域Ｒ１内の雨量３０ミリの気象ポリゴンの総面積Ａ１２の比を特徴情報Ｆ１２として算出する。さらに、特徴情報取得部６は、対象領域Ｒ１の面積Ａ１に対する対象領域Ｒ１内の雨量８０ミリの気象ポリゴンの総面積Ａ１３の比を特徴情報Ｆ１３として算出する。すなわち、特徴情報Ｆ１１はＡ１１／Ａ１により算出され、特徴情報Ｆ１２はＡ１２／Ａ１により算出され、特徴情報Ｆ１３はＡ１３／Ａ１により算出される。
【００９９】
図１９は、解説文の選択の第５の例において解説文データ記憶装置５０に記憶された解説文データに基づく解説文および解説番号を示す図である。図１の解説文選択部７は、特徴情報取得部６により取得された特徴情報Ｆ１１〜Ｆ１３の値に基づいて、対象領域Ｒ１の気象状況の解説文を示す解説文データの解説番号を解説文データ記憶装置５０に記憶された解説番号から選択する。図１の出力部８は、解説文選択部７により選択された解説番号に対応する解説文データを表示部７０に出力する。これにより、対象領域Ｒ１の気象状況の解説文が表示部７０に表示される。
【０１００】
例えば、特徴情報Ｆ１３が０．３以上である場合には、図１９の解説番号「０３１」が選択され、「現在、広い範囲で猛烈な雨が降っています。」という解説文が表示される。特徴情報Ｆ１３が０．１以上でかつ０．３未満である場合には、解説番号「０３２」が選択され、「現在、所々で猛烈な雨が降っています。」という解説文が表示される。
【０１０１】
特徴情報Ｆ１３が０．１未満でかつ特徴情報Ｆ１２が０．３以上である場合には、解説番号「０３３」が選択され、「現在、広い範囲で激しい雨が降っています。」という解説文が表示される。特徴情報Ｆ１２が０．１以上でかつ０．３未満である場合には、解説番号「０３４」が選択され、「現在、所々で激しい雨が降っています。」という解説文が表示される。
【０１０２】
特徴情報Ｆ１２が０．１未満でかつ特徴情報Ｆ１１が０．３以上である場合には、解説番号「０３５」が選択され、「現在、広い範囲で雨が降っています。」という解説文が表示される。特徴情報Ｆ１１が０．１以上でかつ０．３未満である場合には、解説番号「０３６」が選択され、「現在、所々で雨が降っています。」という解説文が表示される。特徴情報Ｆ１１が０．１未満である場合には、解説番号「０３７」が選択され、「現在、目立った雨雲はありません。」という解説文が表示される。
【０１０３】
（７）解説文の選択の第６の例
解説文の選択の第１〜第５の例においては、気象データの観測時刻が指定されるが、本発明はこれに限定されない。気象データの予報時刻が指定されてもよい。以下、解説文の選択の第６の例について、解説文の選択の第５の例と異なる点を説明する。図２０は、解説文の選択の第６の例を説明するための図である。
【０１０４】
使用者は、図１の操作部６０を操作することにより、表示部７０の地図上における所望の地点を基準点Ｒ０として指定する。図１の領域設定部４は、指定された基準点Ｒ０を中心とする直径Ｂ（ｋｍ）の円形を対象領域Ｒ１として設定する。Ｂは例えば５０である。対象領域Ｒ１は、矩形または他の形状を有してもよい。使用者は、操作部６０を操作することにより図１の時刻受付部５に気象データの所望の予報時刻を指定する。なお、図１８には、指定された予報時刻に対応する雨量１ミリ、３０ミリおよび８０ミリの気象ポリゴンが便宜的に表示されているが、実際には表示部７０に表示されない。
【０１０５】
図１の特徴情報取得部６は、気象関連データ、対象領域Ｒ１および気象データの予報時刻に基づいて、特徴情報Ｆ２１，Ｆ２２，Ｆ２３を取得する。ここで、特徴情報Ｆ２１〜Ｆ２３は、観測された気象データではなく指定された予報時刻における気象データに基づく気象ポリゴンを用いて算出される点を除き、解説文の選択の第５の例における特徴情報Ｆ１１〜Ｆ１３とそれぞれ同様である。
【０１０６】
図２１は、解説文の選択の第６の例において解説文データ記憶装置５０に記憶された解説文データに基づく解説文および解説番号を示す図である。図１の解説文選択部７は、特徴情報取得部６により取得された特徴情報Ｆ２１〜Ｆ２３の値の値に基づいて、対象領域Ｒ１の気象状況の解説文を示す解説文データの解説番号を解説文データ記憶装置５０に記憶された解説番号から選択する。これにより、対象領域Ｒ１の気象状況の解説文が表示部７０に表示される。
【０１０７】
例えば、特徴情報Ｆ２３が０．１以上である場合には、図２１の解説番号「０４１」が選択され、「この後、激しい雨が降る恐れがあります。」という解説文が表示される。特徴情報Ｆ２３が０．１未満でかつ特徴情報Ｆ２２が０．１以上である場合には、解説番号「０４２」が選択され、「この後、強い雨が降る恐れがあります。」という解説文が表示される。特徴情報Ｆ２２が０．１未満でかつ特徴情報Ｆ２１が０．６以上である場合には、解説番号「０４３」が選択され、「この後、雨が降るでしょう。」という解説文が表示される。
【０１０８】
特徴情報Ｆ２１が０．２以上でかつ０．６未満である場合には、解説番号「０４４」が選択され、「この後、雨が降ることがあるでしょう。」という解説文が表示される。特徴情報Ｆ２１が０．１未満である場合には、解説番号「０４５」が選択され、「この後、しばらく雨は降らないでしょう。」という解説文が表示される。このように、気象データの予報時刻が指定される場合には、予測される気象データの不確定さを考慮した解説文が表示される。
【０１０９】
上記の解説文の選択の第４〜第６の例においては、特徴情報と解説番号とが予め対応付けられ、予め対応付けられた関係および特徴情報に基づいて解説番号が選択されるが、本発明はこれに限定されない。解説文の選択の第１〜第３の例と同様に、機械学習により作成された「学習済みモデル」および特徴情報に基づいて解説番号が選択されてもよい。
【０１１０】
この構成においては、解説文データ記憶装置５０に、過去の一定期間（例えば１年間）における特徴情報の値の複数の組み合わせが記憶される。さらに、特徴情報の値の組み合わせに対応する気象状況を解説するための解説文データの解説番号が専門家により指定され、指定された解説番号と特徴情報の値の組み合わせとの対応関係が解説文データ記憶装置５０に蓄積される。解説文選択部７は、解説文データ記憶装置５０に蓄積された対応関係に基づいて機械学習を行うことにより、特徴情報を「説明変数」としたときに適切な解説番号を「目的変数」として選択する「学習済みモデル」を予め作成する。
【０１１１】
また、解説文の選択の第３の例と同様に、最新の気象データに加えて、過去の気象データを用いて解説文データが選択されてもよい。この場合、特徴情報は、最新の気象データに基づく特徴情報に加えて、所定時間前（例えば、１０分前または２０分前）の気象データに基づく特徴情報を含む。さらに、解説文データ記憶装置５０には、現在の気象状況だけでなく、今後における気象状況の変化も解説する解説文を示す解説文データおよび解説番号がさらに記憶される。
【０１１２】
図２２は、解説文データ記憶装置５０にさらに記憶された解説文データに基づく解説文および解説番号を示す図である。解説文選択部７は、作成された「学習済みモデル」および特徴情報に基づいて、対象領域Ｒ１の気象状況の解説文を示す解説文データの解説番号を図２２の解説番号から選択する。これにより、現在の気象状況だけでなく、今後における気象状況の変化を解説する解説文を表示部７０に表示させることができる。
【０１１３】
（８）解説文の選択の第７の例
解説文の選択の第１〜第６の例においては、気象要素の状態は雨量であるが、本発明はこれに限定されない。気象要素の状態は、晴れ状態、雲量、地上気温、高層気温、風速、雷活動度、竜巻発生確度または降雪量等であってもよい。解説文の選択の第７の例においては、図１の気象関連データ記憶装置３０は、気象データとして「気象庁推計気象分布（天気）」を用いて晴れ領域の気象ポリゴンデータを生成する。晴れ領域の気象ポリゴンデータの生成方法は、雨量の気象ポリゴンデータの生成方法と同様である。ここで、「気象庁推計気象分布（天気）」は、晴れ、曇り、雨および雪の分布を示すので、晴れ領域と他の天気（曇り、雨および雪）の領域とを識別するしきい値を用いて気象ポリゴンデータを生成することができる。
【０１１４】
図２３は、解説文の選択の第７の例を説明するための図である。図２３の例においては、地図上の予め定められた範囲として、近畿地方北部の地図が示される。図２３の地図は、図１の表示部７０に表示される。また、図２３には、晴れ領域の気象ポリゴンが便宜的に表示されているが、実際には表示部７０に表示されない。地図上の地域を区画する線と気象ポリゴンの輪郭線との区別を容易にするために、図２３においては、気象ポリゴンの輪郭線が示されず、気象ポリゴンの内部の領域がドットパターンにより示される。
【０１１５】
解説文の選択の第５の例と同様に、使用者は、図１の操作部６０を操作することにより、図２３の表示部７０の地図上における所望の地域（図２３の例では京都市）を指定する。これにより、対象領域Ｒ１が設定される。解説文の選択の第１〜第４および第６の例と同様に、使用者により指定された基準点Ｒ０に基づいて対象領域Ｒ１が設定されてもよい。図１の特徴情報取得部６は、対象領域Ｒ１の面積に対する対象領域Ｒ１内の晴れ領域の気象ポリゴンの総面積の比を特徴情報として算出する。
【０１１６】
図２４は、解説文の選択の第７の例において解説文データ記憶装置５０に記憶された解説文データに基づく解説文および解説番号を示す図である。図１の解説文選択部７は、特徴情報取得部６により取得された特徴情報に基づいて、対象領域Ｒ１の気象状況の解説文を示す解説文データの解説番号を図２４の解説番号から選択する。
【０１１７】
ここで、特徴情報と解説番号とが予め対応付けられ、予め対応付けられた関係および特徴情報に基づいて解説番号が選択されてもよい。あるいは、機械学習により作成された「学習済みモデル」および特徴情報に基づいて解説番号が選択されてもよい。図１の出力部８は、解説文選択部７により選択された解説番号に対応する解説文データを表示部７０に出力する。これにより、対象領域Ｒ１における晴れ領域を解説する解説文が表示部７０に表示される。
【０１１８】
（９）解説文の選択の第８の例
解説文の選択の第８の例においては、図１の気象関連データ記憶装置３０は、雷活動度を示す気象データを用いて気象ポリゴンデータを生成する。なお、雷活動度を示す気象データは、例えば「気象庁雷ナウキャスト」により配信される。雷活動度の気象ポリゴンデータの生成方法は、雨量の気象ポリゴンデータの生成方法と同様であり、複数の雷活動度がしきい値として用いられる。
【０１１９】
以下、解説文の選択の第８の例について、解説文の選択の第７の例と異なる点を説明する。図２５は、解説文の選択の第８の例を説明するための図である。図２５には、雷活動度の気象ポリゴンが便宜的に表示されているが、実際には表示部７０に表示されない。図１の特徴情報取得部６は、対象領域Ｒ１の面積に対する対象領域Ｒ１内の雷活動度の気象ポリゴンの総面積の比を特徴情報として算出する。
【０１２０】
図２６は、解説文の選択の第８の例において解説文データ記憶装置５０に記憶された解説文データに基づく解説文および解説番号を示す図である。図１の解説文選択部７は、特徴情報取得部６により取得された特徴情報に基づいて、対象領域Ｒ１の気象状況の解説文を示す解説文データの解説番号を図２６の解説番号から選択する。これにより、対象領域Ｒ１における雷活動度を解説する解説文が表示部７０に表示される。
【０１２１】
（１０）解説文の選択の第９の例
解説文の選択の第９の例においては、図１の気象関連データ記憶装置３０は、気象データとして「気象庁推計気象分布（気温）」を用いて気温の気象ポリゴンデータを生成する。気温の気象ポリゴンデータの生成方法は、雨量の気象ポリゴンデータの生成方法と同様であり、複数の気温がしきい値として用いられる。具体的には、温度３５℃、３０℃、０℃および−５℃がしきい値として用いられ、３５℃以上、３０℃以上、０℃以下および−５℃以下を有する気象ポリゴンを示す気象ポリゴンデータが生成される。
【０１２２】
以下、解説文の選択の第９の例について、解説文の選択の第７の例と異なる点を説明する。図２７は、解説文の選択の第９の例を説明するための図である。図２７には、複数の気温の気象ポリゴンが便宜的に表示されているが、実際には表示部７０に表示されない。ここで、複数の気象ポリゴンの輪郭線が示されず、気象ポリゴンの内部の領域がそれぞれ異なるドットパターンにより示される。
【０１２３】
図１の特徴情報取得部６は、対象領域Ｒ１の面積Ａ１に対する対象領域Ｒ１内の気温３５℃の気象ポリゴンの総面積Ａ３１の比を特徴情報Ｆ３１として算出し、対象領域Ｒ１の面積Ａ１に対する対象領域Ｒ１内の気温３０℃の気象ポリゴンの総面積Ａ３２の比を特徴情報Ｆ３２として算出する。また、特徴情報取得部６は、対象領域Ｒ１の面積Ａ１に対する対象領域Ｒ１内の気温０℃の気象ポリゴンの総面積Ａ３３の比を特徴情報Ｆ３３として算出し、対象領域Ｒ１の面積Ａ１に対する対象領域Ｒ１内の気温−５℃の気象ポリゴンの総面積Ａ３４の比を特徴情報Ｆ３４として算出する。すなわち、特徴情報Ｆ３１はＡ３１／Ａ１により算出され、特徴情報Ｆ３２はＡ３２／Ａ１により算出され、特徴情報Ｆ３３はＡ３３／Ａ１により算出され、特徴情報Ｆ３４はＡ３４／Ａ１により算出される。
【０１２４】
図２８は、解説文の選択の第９の例において解説文データ記憶装置５０に記憶された解説文データに基づく解説文および解説番号を示す図である。図１の解説文選択部７は、特徴情報取得部６により取得された特徴情報に基づいて、対象領域Ｒ１の気象状況の解説文を示す解説文データの解説番号を図２８の解説番号から選択する。これにより、対象領域Ｒ１における気温を解説する解説文が表示部７０に表示される。
【０１２５】
単純な例として、特徴情報Ｆ３１が特徴情報Ｆ３２〜Ｆ３４に比べて支配的に大きい場合には、解説番号「０８１」が選択され、「〇〇市では、気温が３５℃度以上のところが広がってきています。熱中症に警戒してください。」という解説文が表示される。特徴情報Ｆ３２が特徴情報Ｆ３１，Ｆ３３，Ｆ３４に比べて支配的に大きい場合には、解説番号「０８２」が選択され、「〇〇市では、気温が３０℃度以上のところが広がってきています。熱中症に警戒してください。」という解説文が表示される。
【０１２６】
特徴情報Ｆ３３が特徴情報Ｆ３１，Ｆ３２，Ｆ３４に比べて支配的に大きい場合には、解説番号「０８３」が選択され、「〇〇市では、気温が氷点下のところが広がってきています。路面の凍結に注意してください。」という解説文が表示される。特徴情報Ｆ３４が特徴情報Ｆ３１〜Ｆ３３に比べて支配的に大きい場合には、解説番号「０８４」が選択され、「〇〇市では、気温がマイナス５℃度以下のところが広がってきています。路面の凍結に警戒してください。」という解説文が表示される。
【０１２７】
（１１）気象状況解説処理
気象状況解説プログラムは、気象関連データ生成プログラムおよび解説文表示プログラムを含む。図２９は、気象関連データ生成プログラムにより行われる気象関連データ生成処理のアルゴリズムを示すフローチャートである。まず、気象関連データ生成部１は、気象データ記憶装置２０から気象データを取得する（ステップＳ２１）。
【０１２８】
次に、気象関連データ生成部１は、ステップＳ２１で取得された気象データに基づいて気象ポリゴンデータを生成する（ステップＳ２２）。ステップＳ２２において、気象要素の状態におけるしきい値が複数存在する場合には、気象関連データ生成部１は、しきい値ごとに気象ポリゴンデータを生成する。また、ステップＳ２１で予測された気象データが取得される場合には、気象関連データ生成部１は、予報時刻ごとに気象ポリゴンデータを生成する。
【０１２９】
続いて、気象関連データ生成部１は、ステップＳ２２で生成された気象ポリゴンデータに対応する種々の気象付属データを取得する（ステップＳ２３）。気象付属データは、気象データの観測時刻、予報時刻、気象ポリゴンデータに固有の識別子、気象要素の状態におけるしきい値、気象ポリゴンの重心および気象ポリゴンの面積等を含む。ステップＳ２３において、気象ポリゴンデータが複数存在する場合には、気象関連データ生成部１は、気象ポリゴンデータごとに気象付属データを取得する。
【０１３０】
次に、気象関連データ生成部１は、ステップＳ２２で生成された気象ポリゴンデータとステップＳ２３で取得された気象付属データとを気象関連データとして気象関連データ記憶装置３０に記憶させる（ステップＳ２４）。その後、気象関連データ生成部１はステップＳ１に戻り、ステップＳ２１〜Ｓ２４が繰り返される。これにより、最新の気象データに基づいて気象関連データが生成され、気象関連データ記憶装置３０に記憶される。また、過去に生成された気象関連データは、長期間にわたって気象関連データ記憶装置３０に維持される。
【０１３１】
図３０は、解説文表示プログラムにより行われる解説文表示処理のアルゴリズムを示すフローチャートである。まず、気象関連データ取得部２は、気象関連データ記憶装置３０から気象関連データを取得する（ステップＳ３１）。また、地域データ取得部３は、地域データ記憶装置４０から地域データを取得する（ステップＳ３２）。ステップＳ３１，Ｓ３２は、いずれが先に行われてもよいし、同時に行われてもよい。次に、出力部８は、ステップＳ３２で取得された地域データに基づいて表示部７０に地図を表示させる（ステップＳ３３）。
【０１３２】
ここで、領域設定部４は、ステップＳ３３で表示された地図上の領域が指定されたか否かを判定する（ステップＳ３４）。使用者は、操作部６０を操作することにより、地図上の所望の地点または所望の地域を領域として指定することができる。領域が指定されていない場合、領域設定部４は、領域が指定されるまで待機する。領域が指定された場合、領域設定部４は、指定された領域に基づいて対象領域を設定する（ステップＳ３５）。
【０１３３】
その後、時刻受付部５は、予報時刻が指定されたか否かを判定する（ステップＳ３６）。使用者は、操作部６０を操作することにより、気象データの観測時刻または予報時刻を指定することができる。予報時刻が指定されていない場合、すなわち観測時刻が指定された場合、特徴情報取得部６は、ステップＳ３１で取得された気象関連データ、ステップＳ３２で取得された地域データ、ステップＳ３５で設定された対象領域Ｒ１および指定された観測時刻に基づいて特徴情報を取得する（ステップＳ３７）。
【０１３４】
一方で、ステップＳ３６で予報時刻が指定された場合、特徴情報取得部６は、ステップＳ３１で取得された気象関連データ、ステップＳ３２で取得された地域データ、ステップＳ３５で設定された対象領域Ｒ１および指定された予報時刻に基づいて特徴情報を取得する（ステップＳ３８）。なお、ステップＳ３１で取得された気象関連データの気象付属データに予報時刻が含まれていない場合、ステップＳ３６がスキップされ、ステップＳ３７が実行されてもよい。
【０１３５】
次に、解説文選択部７は、ステップＳ３７またはステップＳ３８で取得された特徴情報に基づいて、解説文データを解説文データ記憶装置５０に記憶された複数の解説文データから選択する（ステップＳ３９）。その後、出力部８は、ステップＳ３９で選択された解説文データに基づく解説文を表示部７０に表示させ（ステップＳ４０）、解説文表示プログラムを終了する。
【０１３６】
（１２）効果
本実施の形態に係る気象状況解説装置１０においては、気象ポリゴンデータが気象関連データ取得部２により取得される。また、指定された地図上の地点または地域により定められる対象領域における気象ポリゴンデータの特徴情報が特徴情報取得部６により取得される。さらに、気象状況を解説するために予め準備された複数の解説文から、特徴情報に基づいて指定された地点または地域に関連する気象状況の解説文が解説文選択部７により選択される。
【０１３７】
この構成によれば、指定された地点または地域に関連する気象状況に応じた解説文を都度作成することなく、当該地点または地域に関連する気象状況の解説文が自動的に選択される。これにより、任意の地域における気象状況を解説することができる。
【０１３８】
（１３）他の実施の形態
（ａ）上記実施の形態において、気象状況解説システム１００が共通の情報処理装置により実現されるが、本発明はこれに限定されない。気象状況解説システム１００が複数の情報処理装置により実現されてもよい。例えば、気象状況解説装置１０、気象データ記憶装置２０、気象関連データ記憶装置３０および地域データ記憶装置４０がパーソナルコンピュータにより実現され、解説文データ記憶装置５０、操作部６０および表示部７０が携帯端末等のスマートデバイスにより実現されてもよい。
【０１３９】
あるいは、気象状況解説装置１０、気象データ記憶装置２０、気象関連データ記憶装置３０、地域データ記憶装置４０および解説文データ記憶装置５０がパーソナルコンピュータにより実現され、操作部６０および表示部７０がスマートデバイスにより実現されてもよい。これらの場合、スマートデバイスには、地域または時刻の指定を入力するためのＧＵＩ（Graphical User Interface）を表示するアプリケーションプログラムが設けられてもよい。
【０１４０】
また、気象状況解説システム１００は複数組の操作部６０および表示部７０を含んでもよく、複数組の操作部６０および表示部７０は複数のスマートデバイスによりそれぞれ実現されてもよい。この場合、共通のパーソナルコンピュータと複数のスマートデバイスとにより気象状況解説システム１００を実現することができる。したがって、複数の使用者が自己のスマートデバイスを通して共通のパーソナルコンピュータを利用することにより、所望の地域における気象状況の解説文を自己のスマートデバイスに表示させることができる。
【０１４１】
具体的には、いずれかの使用者が自己のスマートデバイスのタッチパネルディスプレイ（操作部６０）を操作することにより所望の地域を指定する。また、使用者は、気象データの観測時刻等も指定可能である。この場合、指定された地域における気象状況の解説文データが共通のパーソナルコンピュータにより選択され、選択された解説文データに基づく解説文がその使用者のスマートデバイスのタッチパネルディスプレイ（表示部７０）に表示される。
【０１４２】
さらに、気象状況解説装置１０の構成要素（１〜８）の一部の機能がパーソナルコンピュータにより実現され、他の機能がスマートデバイスにより実現されてもよい。図３１は、第１の変形例に係る気象状況解説システム１００の構成を示すブロック図である。第１の変形例においては、気象状況解説システム１００は、パーソナルコンピュータＡおよびスマートデバイスＢにより構成される。
【０１４３】
パーソナルコンピュータＡは、気象データ記憶装置２０、気象関連データ記憶装置３０および地域データ記憶装置４０を含むとともに、ＣＰＵ、ＲＡＭ、ＲＯＭおよび記憶装置を含む。ＲＯＭまたは記憶装置には、気象状況解説プログラムの一部が記憶される。パーソナルコンピュータＡのＣＰＵがＲＯＭまたは記憶装置に記憶された気象状況解説プログラムの一部をＲＡＭ上で実行することにより、気象関連データ生成部１、気象関連データ取得部２および地域データ取得部３の機能が実現される。
【０１４４】
スマートデバイスＢは、解説文データ記憶装置５０、操作部６０、表示部７０および通信部８０を含むとともに、ＣＰＵ、ＲＡＭ、ＲＯＭおよび記憶装置を含む。ＲＯＭまたは記憶装置には、気象状況解説プログラムの他の一部が記憶される。スマートデバイスＢのＣＰＵがＲＯＭまたは記憶装置に記憶された気象状況解説プログラムの他の一部をＲＡＭ上で実行することにより、領域設定部４、時刻受付部５、特徴情報取得部６、解説文選択部７および出力部８の機能が実現される。
【０１４５】
図３１の例においては、スマートデバイスＢの領域設定部４により設定された対象領域および時刻受付部５により受け付けられた時刻は、通信部８０を介してパーソナルコンピュータＡの気象関連データ取得部２に与えられる。本例においては、通信部８０と気象関連データ取得部２との間の通信は無線通信であるが、本発明はこれに限定されない。通信部８０と気象関連データ取得部２との間の通信は、ＬＡＮ（Local Area Network）ケーブル等を用いた有線通信であってもよい。
【０１４６】
図３２は、第２の変形例に係る気象状況解説システム１００の構成を示すブロック図である。第１の変形例と同様に、第２の変形例においては、気象状況解説システム１００は、パーソナルコンピュータＡおよびスマートデバイスＢにより構成される。
【０１４７】
パーソナルコンピュータＡは、気象データ記憶装置２０、気象関連データ記憶装置３０、地域データ記憶装置４０および解説文データ記憶装置５０を含むとともに、ＣＰＵ、ＲＡＭ、ＲＯＭおよび記憶装置を含む。ＲＯＭまたは記憶装置には、気象状況解説プログラムの一部が記憶される。パーソナルコンピュータＡのＣＰＵがＲＯＭまたは記憶装置に記憶された気象状況解説プログラムの一部をＲＡＭ上で実行することにより、気象関連データ生成部１、気象関連データ取得部２および地域データ取得部３、特徴情報取得部６、解説文選択部７および出力部８の機能が実現される。
【０１４８】
スマートデバイスＢは、操作部６０、表示部７０および通信部８０を含むとともに、ＣＰＵ、ＲＡＭ、ＲＯＭおよび記憶装置を含む。ＲＯＭまたは記憶装置には、気象状況解説プログラムの他の一部が記憶される。スマートデバイスＢのＣＰＵがＲＯＭまたは記憶装置に記憶された気象状況解説プログラムの他の一部をＲＡＭ上で実行することにより、領域設定部４および時刻受付部５の機能が実現される。
【０１４９】
図３２の例においては、図３１の例と同様に、スマートデバイスＢの領域設定部４により設定された対象領域および時刻受付部５により受け付けられた時刻は、通信部８０を介してパーソナルコンピュータＡの気象関連データ取得部２に与えられる。また、パーソナルコンピュータＡの出力部８からの解説文データは、スマートデバイスＢの通信部８０を介して表示部７０に与えられる。なお、通信部８０と気象関連データ取得部２または出力部８との間の通信は、無線通信であってもよいし、有線通信であってもよい。
【０１５０】
（ｂ）上記実施の形態において、気象関連データ取得部２は気象関連データ記憶装置３０から気象関連データを取得するが、本発明はこれに限定されない。気象関連データ取得部２は、気象関連データ生成部１から気象関連データを直接的に取得してもよい。
【０１５１】
（ｃ）上記実施の形態において、解説文が表示部７０に表示されるが、本発明はこれに限定されない。気象状況解説システム１００がスピーカ等の音声出力部を含む場合には、解説文が音声として出力されてもよい。
【０１５２】
（ｄ）上記実施の形態において、気象状態領域の輪郭を示す気象ポリゴンデータに基づいて特徴情報が取得されるが、本発明はこれに限定されない。気象状態領域を示す他のデータに基づいて特徴情報が取得されてもよい。例えば、気象データが二値化されたデータ（単純化される前のデータ）に基づいて特徴情報が取得されてもよい。あるいは、気象状態領域の輪郭のみでなく輪郭の内部をも示すデータに基づいて特徴情報が取得されてもよい。
【０１５３】
（ｅ）上記実施の形態において、地図上の所定の領域が対象領域として設定されるが、本発明はこれに限定されない。特定の空間中の所定の領域が対象領域として設定されてもよい。
【符号の説明】
【０１５４】
１…気象関連データ生成部，２…気象関連データ取得部，３…地域データ取得部，４…領域設定部，５…時刻受付部，６…特徴情報取得部，７…解説文選択部，８…出力部，１０…気象状況解説装置，２０…気象データ記憶装置，３０…気象関連データ記憶装置，４０…地域データ記憶装置，５０…解説文データ記憶装置，６０…操作部，７０…表示部，８０…通信部，１００…気象状況解説システム，Ａ…パーソナルコンピュータ，Ｂ…スマートデバイス，Ｒ０…基準点，Ｒ１…対象領域，ＷＰ…気象ポリゴン
【図１】
2019060776.tif 000003
【図２】
2019060776.tif 000004
【図３】
2019060776.tif 000005
【図４】
2019060776.tif 000006
【図５】
2019060776.tif 000007
【図６】
2019060776.tif 000008
【図７】
2019060776.tif 000009
【図８】
2019060776.tif 000010
【図９】
2019060776.tif 000011
【図１０】
2019060776.tif 000012
【図１１】
2019060776.tif 000013
【図１２】
2019060776.tif 000014
【図１３】
2019060776.tif 000015
【図１４】
2019060776.tif 000016
【図１５】
2019060776.tif 000017
【図１６】
2019060776.tif 000018
【図１７】
2019060776.tif 000019
【図１８】
2019060776.tif 000020
【図１９】
2019060776.tif 000021
【図２０】
2019060776.tif 000022
【図２１】
2019060776.tif 000023
【図２２】
2019060776.tif 000024
【図２３】
2019060776.tif 000025
【図２４】
2019060776.tif 000026
【図２５】
2019060776.tif 000027
【図２６】
2019060776.tif 000028
【図２７】
2019060776.tif 000029
【図２８】
2019060776.tif 000030
【図２９】
2019060776.tif 000031
【図３０】
2019060776.tif 000032
【図３１】
2019060776.tif 000033
【図３２】
2019060776.tif 000034